(57)【要約】【課題】  一般家庭など狭い浴室にも容易に設置できると共に、浴室内を広く使うことができ、入浴者が車椅子に座ったままで入浴することのできる入浴補助装置を提供する。【解決手段】  入浴補助装置１０に、車椅子の車輪部から分離された座部１３を保持する保持部材１４と、保持部材１４を昇降可能に支持する昇降支持フレーム１５と、保持部材１４を昇降させる昇降手段１６と、昇降支持フレーム１５を浴槽１側と浴槽１外側との間で座部１３の左右方向に横行可能に支持する横行支持フレーム１７と、昇降支持フレーム１５を横行させる横行手段１８と、座部１３を浴槽１内部へ誘導する誘導レール１９と、横行手段１８を作動させるための横行操作部２０と、昇降手段１６を作動させるための昇降操作部２１とを具備させる。【選択図】        図１
0003107085.tif 000002
【実用新案登録請求の範囲】
【請求項１】
車椅子の車輪部から分離された座部を着脱可能に保持する保持部材と、
該保持部材を昇降可能に支持する昇降支持フレームと、
該昇降支持フレームに取付けられ、シリンダの伸縮により前記保持部材を昇降させる昇降手段と、
浴室内に固定され、前記昇降支持フレームを浴室における浴槽側と浴槽外側との間で前記保持部材に保持された座部の左右方向に横行可能に支持する横行支持フレームと、
該横行支持フレームに取付けられ、前記昇降支持フレームを横行させる横行手段と、
該横行手段により前記昇降支持フレームが浴槽側に位置した時に前記保持部材に保持された前記座部を浴槽内部へ誘導する誘導レールと、
前記横行支持フレームの浴槽外側に配置され、前記横行手段を作動させるための横行操作部と、
該横行操作部近傍の前記横行支持フレームに配置され、前記昇降手段を作動させるための昇降操作部と
を具備することを特徴とする入浴補助装置。
【請求項２】
前記誘導レールは、
前記保持部材に保持された前記座部が傾くように誘導することを特徴とする請求項１に記載の入浴補助装置。
【請求項３】
前記昇降支持フレームが浴槽側以外の位置にある時に、前記保持部材に保持された前記座部が所定位置より下降するのを規制するストッパ手段を更に具備することを特徴とする請求項１または請求項２に記載の入浴補助装置。
【請求項４】
前記横行支持フレームの浴槽外側の所定位置に、前記車椅子を位置決めするための車椅子位置決め手段を更に具備することを特徴とする請求項１から請求項３までの何れか一つに記載の入浴補助装置。
【請求項５】
前記シリンダは、
水圧によりピストンロッドが伸長または収縮する水圧シリンダであることを特徴とする請求項１から請求項４までの何れか一つに記載の入浴補助装置。
【考案の詳細な説明】
【技術分野】
【０００１】
本考案は、入浴補助装置に関するものであり、特に、身体障害者や高齢者などが車椅子に座ったままで入浴することのできる入浴補助装置に関するものである。
【背景技術】
【０００２】
従来より、身体障害者など（以下、単に「障害者」と称す）を入浴させるための装置として、鉛直方向に立設された支柱と、この支柱に取付けられ上下動及び旋回運動するアームと、アームに吊設された専用座席とを具備し、アームの動きを電気的に制御することにより、入浴者を専用座席に座らせた状態で入浴させるようにした入浴補助装置が知られている。
【０００３】
ところで、歩行が困難で、浴室まで車椅子で移動する入浴者の場合には、上記の入浴補助装置を利用しようとすると、浴室において、車椅子から入浴補助装置の専用座席に乗換えなければならず、入浴者の負担が大きくなると共に、入浴者の障害の程度によっては介護者の負担も大きなものとなっていた。
【０００４】
そこで、車椅子の座席に座ったままで入浴できるものが提案されている。具体的には、車椅子を車輪部と座部とに分離可能に構成し、浴槽内に向かって傾斜するスロープと、スロープに沿って昇降可能かつ車椅子の座部を着脱可能に構成されたリフターと、リフターを昇降させる昇降手段とを備えた入浴補助装置が提案されている。
【０００５】
この入浴補助装置は、入浴者が車椅子に座ったままの状態で、座部を車輪部に対して前方にスライド分離させてリフターに受け渡し、昇降手段によりリフターと共に座部をスロープに沿って下降させることで、入浴者を入浴させるようにしている。
【０００６】
本願出願人は、本願出願時において、上記の技術情報が記載されている文献として、以下のものを知見している。
【特許文献１】実公平７−５１０５１
【考案の開示】
【考案が解決しようとする課題】
【０００７】
しかしながら、従来の入浴補助装置は、車椅子の座部をその前後方向に移動させて入浴させるようにしているので、広い洗い場や浴槽を必要とし、更に、浴槽内へはスロープにより昇降させるようにしているので、更に浴槽の幅の広いものが必要となっていた。そのため、ホテルや介護施設などの広い浴室を備えた施設には設置できるものの、一般家庭など狭い浴室には設置することができなかった。
【０００８】
また、従来の入浴補助装置では、リフターが座部の左右両端を支持すると共に、更にスロープがリフターの左右両端に配置されているので、装置全体の幅が広くなっており、平面視における浴室に占める割合が大きなものとなっていた。そのため、特に、入浴補助装置を必要としない入浴者が入浴する際には、入浴補助装置が邪魔になっていた。
【０００９】
更に、従来の入浴補助装置では、昇降手段として、電動モータを使用しており、浴室内において電気配線をしなければならず、漏電の恐れがあった。そのため、防水処理や工事等を必要とし、コストの高いものとなっていた。
【００１０】
そこで、本考案は上記の実情に鑑み、一般家庭など狭い浴室にも容易に設置できると共に、浴室内を広く使うことができ、入浴者が車椅子に座ったままで入浴することのできる入浴補助装置の提供を課題とするものである。
【課題を解決するための手段】
【００１１】
上記の課題を解決するために、本考案に係る入浴補助装置は、「車椅子の車輪部から分離された座部を着脱可能に保持する保持部材と、該保持部材を昇降可能に支持する昇降支持フレームと、該昇降支持フレームに取付けられ、シリンダの伸縮により前記保持部材を昇降させる昇降手段と、浴室内に固定され、前記昇降支持フレームを浴室における浴槽側と浴槽外側との間で前記保持部材に保持された座部の左右方向に横行可能に支持する横行支持フレームと、該横行支持フレームに取付けられ、前記昇降支持フレームを横行させる横行手段と、該横行手段により前記昇降支持フレームが浴槽側に位置した時に前記保持部材に保持された前記座部を浴槽内部へ誘導する誘導レールと、前記横行支持フレームの浴槽外側に配置され、前記横行手段を作動させるための横行操作部と、該横行操作部近傍の前記横行支持フレームに配置され、前記昇降手段を作動させるための昇降操作部とを具備する」ものである。
【００１２】
ここで、「車椅子」としては、少なくとも車輪を有する車輪部と、着座するための座部とを互いに分離可能に構成されていれば良く、上下方向に分離可能としたものが望ましい。また、車輪部と座部との分離を不能とするロック手段を備えることが望ましい。
【００１３】
また、「昇降手段」としては、具体的な構成を特に限定するものではないが、直接シリンダの伸縮により昇降させるものや、シリンダにより伸縮する動滑車と固定滑車とそれら滑車に巻き掛けられるワイヤとにより昇降させるもの等を例示することができる。なお、シリンダとしては、加圧流体を供給することで作動するものであれば、特に限定するものではないが、水圧、特に上水道の水道圧によって作動するものが望ましい。
【００１４】
更に、「横行手段」としては、特に限定するものではないが、一対のスプロケットに巻回されたチェーンの両端を昇降支持フレームに固定してスプロケットを回転させることで横行させるものや、シリンダの伸縮によって横行させるもの等を例示することができる。
【００１５】
本考案によると、保持部材に保持された車椅子の座部は、横行手段により浴槽外側つまり洗い場側から座部の左右方向に横行して浴槽側へと移動し、浴槽側に移動した座部は、昇降手段および誘導レールにより浴槽内部へと下降させることができる。これにより、入浴者は、車椅子の座部に座ったままで、乗換え無しで入浴することができる。
【００１６】
また、車椅子の座部の左右方向に移動させており、浴槽や洗い場の幅が、車椅子の幅と同じぐらいでも入浴者が座部に着座した状態で充分に入浴させることができるので、一般家庭などの狭い浴室にも設置することができる。
【００１７】
更に、保持部材として座部の背面を保持するものを用いた場合、座部の前後方向に対して装置全体の突出量を少なくすることができるので、平面視における浴室に占める割合を小さくすることができ、邪魔になり難く、浴室内を広く使うことが可能となる。また、横行支持フレームを浴室の壁近傍に配置固定することで、入浴補助装置を必要としない入浴者が入浴する際に、装置が邪魔になるのを防止することができる。
【００１８】
また、昇降手段にシリンダを用いており、つまり、流体により作動するようにしているので、浴室内において電気配線をする必要がなく、漏電の恐れを回避することができる。また、電気的な防水工事を必要としないので、コストを低く抑えることができる。
【００１９】
また、浴槽外側つまり洗い場側に横行操作部と、その近傍に昇降操作部とを配置しているので、一箇所で各操作をすることができ、操作する介護者などの手間を低減させることができる。
【００２０】
本考案に係る入浴補助装置は、上記に加えて「前記誘導レールは、前記保持部材に保持された前記座部が傾くように誘導する」ものである。
【００２１】
ここで、「座部が傾くように誘導する」ものとしては、特に限定するものではないが、直線状の誘導レールを傾斜配置することで傾くように誘導するものや、誘導レールをその下端に向かうに従って座部の前方に曲がるような曲線状とすることで傾くように誘導するもの、等を例示することができる。
【００２２】
本考案によると、浴槽内の水深が浅くて座部に着座した入浴者が、充分に全身入浴等することができなくても、誘導レールにより浴槽内で座部が傾くことで、入浴者の姿勢を低くすることができ、充分に入浴させることができる。
【００２３】
本考案に係る入浴補助装置は、上記に加えて、「前記昇降支持フレームが浴槽側以外の位置にある時に、前記保持部材に保持された前記座部が所定位置より下降するのを規制するストッパ手段を更に具備する」ものである。
【００２４】
ここで、「ストッパ手段」としては、特に限定するものではないが、シリンダの伸縮に伴って昇降する突起と、横行支持フレーム等に設けられたストッパ部材とを当接させることで直接シリンダの伸縮を規制して座部の下降を規制するものや、昇降支持フレームが横行支持フレーム等に設けられたストッパ部材と当接することで座部の下降を規制するもの、等を例示することができる。
【００２５】
本考案によると、昇降支持フレームが浴槽側以外の位置にあるときには、ストッパ手段により座部が所定位置より下降するのを規制している。これにより、浴槽以外の位置で昇降手段が作動しても、座部が所定位置より下降するのを防止することができるので、座部に着座している入浴者が、浴槽の壁面等に当たってしまったりするのを防止することができる。
【００２６】
本考案に係る入浴補助装置は、上記に加えて、「前記横行支持フレームの浴槽外側の所定位置に、前記車椅子を位置決めするための車椅子位置決め手段を更に具備する」ものである。ここで、「車椅子位置決め手段」としては、車椅子の左右および前後方向への移動を規制できるものであれば、特に限定するものではなく、車椅子の車輪部および座部の双方を位置決めできるものが望ましい。
【００２７】
本考案によると、車椅子位置決め手段により、車椅子が位置決めされるので、保持部材により座部を保持させて車輪部と分離する時や、保持部材から座部を車輪部へ受け渡す時に、分離や受け渡しを確実かつ容易に行うことができる。
【００２８】
本考案に係る入浴補助装置は、上記に加えて、「前記シリンダは、水圧によりピストンロッドが伸長または収縮する水圧シリンダである」ものである。ここで、「水圧」としては、特に限定するものではないが、上水道による水道圧を用いることができる。
【００２９】
本考案によると、シリンダの作動流体として水を用いているので、シリンダ等から漏れても特に問題となることはなく、安全性を高めることができる。また、水圧として水道圧を用いた場合、水圧を発生させるための装置を特に必要としないので、装置全体のコストを低減させることができる。
【考案の効果】
【００３０】
上記のように、本考案によると、一般家庭など狭い浴室にも容易に設置できると共に、浴室内を広く使うことができ、入浴者が車椅子に座ったままで入浴することのできる入浴補助装置を提供することができる。
【考案を実施するための最良の形態】
【００３１】
以下、本考案を実施するための最良の形態について図１乃至図４を基に説明する。図１は、本考案の入浴補助装置の一実施形態を示す正面図であり、図２は、図１の入浴補助装置の洗い場側において切断して示す側面断面図であり、図３は、図１の入浴補助装置の浴槽側において切断して示す側面断面図であり、図４は、図１の入浴補助装置における車椅子の座部の着脱を示す説明図である。本実施形態の入浴補助装置は、身体障害者や高齢者などが車椅子に座ったままで入浴することのできるものである。
【００３２】
図示するように、本実施形態の入浴補助装置１０は、車椅子１１の車輪部１２から分離された座部１３を着脱可能に保持する保持部材１４と、保持部材１４を昇降可能に支持する昇降支持フレーム１５と、昇降支持フレーム１５に取付けられ保持部材１４を昇降させる昇降手段１６と、浴室内に固定され昇降支持フレーム１５を保持部材１４に保持された座部１３の左右方向に横行可能に支持する横行支持フレーム１７と、横行支持フレーム１７に取付けられ昇降支持フレーム１５を横行させる横行手段１８とを備えている。
【００３３】
また、入浴補助装置１０は、保持部材１４に保持された座部１３を浴槽１内部へ誘導する誘導レール１９と、横行支持フレーム１７に配置され横行手段１８を作動させるための横行操作部２０と、横行操作部近傍の横行支持フレーム１７に配置され昇降手段１６を作動させるための昇降操作部２１とを更に備えている。
【００３４】
更に、入浴補助装置１０は、昇降支持フレーム１５が浴槽１側以外の位置にある時に保持部材１４に保持された座部１３が所定位置より下降するのを規制するストッパ手段２２と、横行支持フレーム１７における洗い場２側（浴槽外側）の所定位置に、車椅子１１を位置決めするための車椅子位置決め手段２３とを備えている。
【００３５】
車椅子１１は、図２および図４に示すように、車輪２４を有する車輪部１２と、車輪部１２と着脱可能とされ着座するための座部１３と、車輪部と座部との分離を規制するロック手段２５とを備えている。この座部１３は、その後部に背もたれとなる背部２６が立設されており、この背部２６の上部裏側には、後述の保持部材１４に係止される被係止部２７が備えられている。なお、図示は省略するが、座部１３の前側には、足を載置することのできる足載部が備えられている。
【００３６】
車輪部１２は、その後部に、Ｌ字状に形成され一端が回動可能に軸支され他端が車椅子１１の後方に延びだす一対の延出部材２８と、一対の延出部材２８の先端に取付けられ両端が湾曲したガイド部材２９とが備えられており、この延出部材２８およびガイド部材２９は、後述の車椅子位置決め手段２３により前後左右の位置決めをされて、車椅子１１を所定位置に位置決めするものである。また、車輪部１２は、その上部に座部１３の下部を左右方向移動不能に受ける受部３０が設けられている。
【００３７】
ロック手段２５は、車輪部１２の上部に設けられロックレバー３１の回動操作と共に回動するフック３２と、座部１３の下部に設けられフック３２と係止可能な係止ロッド３３とから構成され、フック３２を係止ロッド３３に係止させることで、車輪部１２と座部１３との上下方向および前後方向の相対移動を規制するものである。
【００３８】
保持部材１４は、上下方向に延びる一対の縦部材３４と、一対の縦部材３４を所定間隔に支持する複数の横部材３５と、一対の縦部材３４の左右両側における上部と下部に夫々回転可能に取付けられた車輪３６とを備えている。なお、一対の縦部材３４の上部には、後述の昇降手段１６と連結するための連結片３７が夫々設けられている。
【００３９】
また、保持部材１４は、一対の縦部材３４の左右両端に固定され前方（図２中右側方向）に延びだした板状の側部材３８と、両端が側部材３８の上部前端に支持され座部１３の被係止部２７を係止する係止部材３９と、両端が側部材３８の下部前端に支持され座部１３の後端部と当接する当接部材４０とを更に備えている。
【００４０】
昇降支持フレーム１５は、所定幅で上下方向に長い枠状の枠フレーム４１と、枠フレーム４１の前方かつ左右両端に設けられ保持部材１４の車輪３６を上下方向に案内支持する昇降レール４２と、枠フレーム４１の下部にその後方に延びるように設けられ後述の昇降手段１６のシリンダ４３を載置固定する載置部材４４とを備えている。
【００４１】
この昇降レール４２は、断面がコ字形状のチャンネル材からなり、その開口部分が互いに対向するように枠フレーム４１に取付けられており、その内部に保持部材１４の車輪３６が嵌ることで車輪３６つまり保持部材１４を昇降可能に保持している。
【００４２】
また、昇降支持フレーム１５は、枠フレーム４１の上方に配置され枠フレーム４１の面に対して直角方向（前後方向）に軸方向を向けた支持車輪４５と、支持車輪４５を回転可能に支持すると共に支持車輪４５と枠フレーム４１とを接続する接続部材４６と、枠フレーム４１の下方に配置され軸方向を上下方向に向け互いに前後方向に離間したガイド車輪４７とを更に備えている。
【００４３】
なお、本例では、図１および図２に示すように、一つの接続部材４６は、四つの支持車輪４５を左右方向および前後方向に夫々離間するように支持している。また、支持車輪４５とガイド車輪４７は、枠フレーム４１の左右両端に夫々一組ずつ備えられている。
【００４４】
昇降手段１６は、枠フレーム４１後部の載置部材４４に載置固定されるシリンダ４３と、シリンダ４３から上方に伸縮可能に延びだすシリンダロッド４８と、シリンダロッド４８の先端に取付けられその伸縮と共に移動する動滑車４９と、シリンダ４３の上部より下側で枠フレーム４１後部に固定される第一固定滑車５０と、枠フレーム４１の上部に固定される第二固定滑車５１と、一端が枠フレーム４１の載置部材４４に固定され、他端が動滑車４９、第一固定滑車５０、第二固定滑車５１を介して保持部材１４の連結片３７に連結されるワイヤ５２とを備えている。
【００４５】
この昇降手段１６は、三方弁からなる昇降操作部２１を操作して、シリンダ４３内に圧力流体を供給することで、シリンダロッド４８を伸長させて保持部材１４が上昇し、昇降操作部２１を操作してシリンダ４３内の圧力流体を流出させることで、シリンダロッド４８を没入させて保持部材１４が下降するようになっている。なお、昇降操作部２１は、シリンダ４３内への圧力流体の供給および流出の何れをも閉止することで、シリンダロッド４８の伸長や没入を任意に停止させることができるようになっている。
【００４６】
なお、この昇降手段１６は、動滑車４９と、第一固定滑車５０および第二固定滑車５１との作用により、ワイヤ５２の他端に連結された保持部材１４の移動量が、動滑車４９の移動量の二倍となるようになっている。
【００４７】
また、昇降手段１６の動滑車４９、第一固定滑車５０、第二固定滑車５１は、夫々シリンダロッド４８を挟んで夫々左右に一つずつ設けられている。詳しくは、枠フレーム４１に備えられた左右の昇降レール４２の位置と夫々対応する左右方向の位置に各滑車が配置されている。
【００４８】
更に、シリンダ４３は、本例では、圧力流体として、上水道などの水道圧により作動するものとされており、水により錆びたりするのを防ぐために、耐食性の高いアルミ合金を用いると共に、表面や内部に耐食性を高めるコーティング処理が施してある。
【００４９】
また、シリンダロッド４８の先端には、後方に突出する突出部材５３が設けられている。この突出部材５３は、後述のストッパ手段２２を構成するものである。
【００５０】
横行支持フレーム１７は、浴槽１側および浴槽１外側である洗い場２側の夫々所定位置に立設される柱部材５４と、それら柱部材５４の上端部分との間に横架される上部横行レール５５と、洗い場２床付近の高さにおいてそれら柱部材５４の間に横架される下部横行レール５６と、柱部材５４と浴室壁面３とを連結する連結部材５７とを備えている。
【００５１】
上部横行レール５５は、図２に示すように、その断面は、角型鋼管の下辺中央が開口し、その開口部の両端が内側に折れ曲がった形状となっている。この上部横行レール５５は、その内部に昇降支持フレーム１５の支持車輪４５を、前後方向への移動を規制すると共に、左右方向へ横行可能に支持しており、上部横行レール５５の下辺開口を通じて接続部材４６により、支持車輪４５と昇降支持フレーム１５とが接続されている。つまり、上部横行レール５５により、昇降支持フレーム１５が、吊持支持されている。
【００５２】
下部横行レール５６は、その断面が矩形状とされ、図示するように、その前面および後面が、昇降支持フレーム１５における一対のガイド車輪４７により挟持されることで、昇降支持フレーム１５の前後方向の移動を規制すると共に、横行可能に支持している。
【００５３】
なお、横行支持フレーム１７は、上部横行レール５５左右端部の下方に夫々昇降支持フレーム１５の左右の横行端を規制するストッパ６７を備えており、図１中右側のストッパ６７は車椅子位置決め手段２３により位置決めされた車椅子１１から座部１３を着脱可能な位置に、左側のストッパ６７は昇降支持フレーム１７の昇降レール４２と誘導レール１９とが一致する位置に、夫々昇降支持フレーム１７を位置決めするものである。
【００５４】
横行手段１８は、横行支持フレーム１７における上部横行レール５５の両端に配置された一対のスプロケット５８と、一対のスプロケット５８に巻回され両端が昇降支持フレーム１５に固定されたチェーン５９と、洗い場２側のスプロケット５８を回転駆動させる回転ハンドルからなる横行操作部２０とを備えている。
【００５５】
この横行操作部２０は、回転させることで、その回転駆動力を無端環状のチェーン６０によりスプロケット５８に伝達して、スプロケット５８によりチェーン５９を左右方向に駆動させることで昇降支持フレーム１５を左右方向に横行させるものである。
【００５６】
ストッパ手段２２は、図２に示すように、昇降手段１６におけるシリンダロッド４８の先端から後方へ突出するように設けられた突出部材５３と、突出部材５３より後方で横行支持フレーム１７における左右の連結部材５７の間に架設された架設部材６１と、架設部材６１の前面に突出するように取付けられ浴槽１外側の洗い場２側から浴槽１側の所定位置まで延び突出部材５３と当接可能なストッパ部材６２とから構成されている。
【００５７】
車椅子位置決め手段２３は、横行支持フレーム１７における下部横行レール５６下側の洗い場２側所定位置に配置され前後方向に延びると共に車椅子１１のガイド部材を内部に挿入可能な断面コ字状のガイドカバー６３と、ガイドカバー６３の内部に軸６４により回動可能に支持されガイド部材２９を係止可能な鉤部材６５とを備えている。
【００５８】
鉤部材６５は、略並行して二つ設けられており、それら鉤部材６５は、ガイド部材２９を支持する二つの延出部材２８より左右方向外側の位置となるように夫々配置されている。また、車椅子位置決め手段２３は、図示は省略するが、鉤部材６５を回動させてガイド部材２９との係止を解除する解除機構が備えられている。
【００５９】
誘導レール１９は、昇降レール４２と同様に断面コ字形状のチャンネル材からなり、昇降レール４２と略同じ間隔で配置され、その上端が下部横行レール５６に支持されると共に、下端が浴槽１側の柱部材５４から延びだした支持部材６６により上端よりも前方に突出した位置に支持されている。
【００６０】
なお、本例では、保持部材１４、昇降支持フレーム１５、横行支持フレーム１７などの各部材は、ステンレスやアルミ合金など、腐食し難い材料で形成されている。また、動滑車４９や固定滑車５０，５１、各車輪などは、ポリアミド樹脂（ＭＣナイロン（商標名））が用いられている。また、図示は省略するが、本例の入浴補助装置１０には、意匠性を高めたり、可動部に手等が挟まれたりするのを防止するためのカバーが、各フレームに備えられている。
【００６１】
次に、本実施形態の入浴補助装置１０の作用について図を基に詳細に説明する。まず、保持部材１４および昇降支持フレーム１５を図１に示すような状態とする。詳しくは、横行操作部２０を操作して昇降支持フレーム１５を浴槽１外側である洗い場２側へストッパ６７に当接するまで横行させた上で、昇降操作部２１を操作してシリンダロッド４８先端の突出部材５３がストッパ部材６２に当接するまでシリンダロッド４８を下降させて、保持部材１４を下降させた状態にする。
【００６２】
続いて、図４（ア）に示すように、洗い場２において、車椅子１１の座部１３に入浴者を着座させた状態で、保持部材１４の前方に車椅子１１をその後部が保持部材１４を向くように配置し、保持部材１４の前面に当接するまで車椅子１１を後退させる。
【００６３】
この際に、車椅子１１に設けられたガイド部材２９が、車椅子位置決め手段２３のガイドカバー６３の側板に当接することで、ガイド部材２９がガイドカバー６３内部へとガイドされる。そして、ガイド部材２９は、ガイドカバー６３内部の鉤部材６４に係止され、ガイド部材２９、すなわち、車椅子１１が洗い場２の所定位置において前後および左右方向に移動不能に位置決めされる。
【００６４】
続いて、車椅子１１におけるロック手段２５のロックレバー３１を操作して、フック３２と係止ロッド３３との係止を解除して、車輪部１２と座部１３とが分離可能な状態にする（図４（イ）参照）。
【００６５】
その後、昇降操作部２１を上昇側へ操作し、シリンダ４３に水道水を供給してシリンダロッド４８を伸長させて、その先端に設けられた動滑車４９を上昇させる。この動滑車４９の上昇により、一端が載置部材４４に固定されたワイヤ５２の他端は、動滑車４９，第一固定滑車５０，第二固定滑車５１を介して動滑車４９の上昇速度の二倍の速度で上昇する。ここで、ワイヤ５２の他端は、保持部材１４に連結されており、この保持部材１４は、昇降支持フレーム１５に昇降可能に支持されているので、ワイヤ５２の他端が上昇することで保持部材１４が上昇する。
【００６６】
このようにして、保持部材１４が上昇することで、保持部材１４前面の係止部材３９が座部１３の被係止部２７と係止して保持部材１４に座部１３が保持されて、保持部材１４と共に座部１３が上昇し、座部１３は車輪部１１から分離する（図４（ウ）参照）。そして、図３に二点鎖線で示すように、シリンダロッド４８が伸長して動滑車４９が上昇端に達するまで、保持部材１４に保持された座部１３を上昇させる。
【００６７】
続いて、横行操作部２０を回転操作して、昇降支持フレーム１５が浴槽１側のストッパ６７に当接するまで横行させる。昇降支持フレーム１５が、浴槽１側のストッパ６７に当接したら、横行操作部２０の操作を止め、今度は、昇降操作部２１を下降側へ操作すると、シリンダ４３内の水が外部に流出可能となる。そして、保持部材１４や座部１３にかかる荷重がワイヤ５２や動滑車４９を介してシリンダロッド４８にかかることで、シリンダ４３内の水が外部に押し出され、シリンダロッド４８がシリンダ内に没入し動滑車４９が下降すると共に、保持部材１４に保持された座部１３も下降する。
【００６８】
ところで、ストッパ手段２２のストッパ部材６２は、昇降支持フレーム１５が浴槽１側のストッパ６７に当接した位置には備えられておらず、シリンダロッド４８先端の突出部材５３は、ストッパ部材６２と当接することなく下降する。また、昇降支持フレーム１５が浴槽１側のストッパ６７に当接した位置では、昇降支持フレーム１５の昇降レール４２が、下部横行レール５６から浴槽１底部へと延びる誘導レール１９と互いに連通した状態となっている。
【００６９】
そして、座部１３を保持した保持部材１４は、シリンダロッド４８の没入に伴って下降し、昇降支持フレーム１５の昇降レール４２から、その下方の誘導レール１９へと移り、浴槽１底部へと下降して行き、シリンダロッド４８が没入して動滑車４９が下降端に達すると下降が停止する（図３参照）。なお、保持部材１４の下降中に昇降操作部２１を停止操作することで、任意の位置に保持部材１４つまり座部１３を停止させることができる。
【００７０】
このとき、誘導レール１９は、その下端が上端よりも前方に位置させられており、保持部材１４に保持された座部１３が、その前側が上に上がるように傾斜した状態となる。これにより、座部１３に着座した入浴者の姿勢が傾き、同じ水深でも傾かない場合と比べて、より浴湯に浸ることができる。
【００７１】
その後、入浴が終了したら、上記とは逆の手順により、座部１３を保持した保持部材１４を浴槽１から上昇させた上で、洗い場２側に横行させる。そして、座部１３を下降させて車輪部１２上に載置し、ロック手段２５で座部１３を車輪部１２にロックした上で、車椅子位置決め手段２３の鉤部材６５を回動して車椅子位置決め手段２３から車椅子１１を開放し、車椅子１１に着座した入浴者の入浴作業が終了する。
【００７２】
このように、本例の入浴補助装置１０によると、身体障害者や高齢者などの入浴者は、車椅子１１の座部１３に座ったままで、乗換え無しで入浴することができる。また、座部１３の左右方向に移動させており、浴槽１や洗い場２の幅が、車椅子１１の幅と同じぐらいでも入浴者が座部１３に着座した状態で充分に入浴させることができるので、一般家庭などの狭い浴室にも設置することができる。
【００７３】
また、保持部材１４として座部の背面を保持しており、座部１３の前後方向に対して装置全体の突出量を少なくすることができるので、平面視における浴室に占める割合を小さくすることができ、邪魔になり難く浴室内を広く使うことが可能となる。また、横行支持フレーム１７を浴室壁面３近傍に配置固定しており、入浴補助装置１０を必要としない入浴者が入浴する際に、装置が邪魔になるのを防止することができる。
【００７４】
更に、シリンダ４３の作動流体として水道水を用いているので、シリンダ４３等から漏れても特に問題となることはなく、また、電気を用いておらず、漏電などの恐れがないので安全性を高めることができると共に。水道圧を用いているので、水圧を発生させるための装置を特に必要とせず、装置全体のコストを低減させることができる。
【００７５】
また、洗い場１側に横行操作部２０と、昇降操作部２１とを配置しているので、一箇所で各操作をすることができ、操作する介護者などの手間を低減させることができる。
【００７６】
また、誘導レール１９を傾斜させており、座部１３を傾けることができるので、入浴者の姿勢を低くすることができ、浴槽１内の水深が浅くても、充分に入浴させることができる。
【００７７】
更に、昇降支持フレーム１５が浴槽１側以外の位置にあるときには、ストッパ手段２２により座部１３が所定位置より下降するのを規制しており、浴槽１以外の位置で誤って昇降手段１６が作動しても、座部１３が下降するのを防止して、座部１３に着座している入浴者が、浴槽１の壁面等に当たってしまったりするのを防止することができる。
【００７８】
また、昇降手段１６として、シリンダ４３により動滑車４９を昇降させて、第一固定滑車５０、第二固定滑車５１を介して保持部材１４を昇降させるようにしているので、少ないストロークで保持部材１４の昇降量を大きくすることができ、シリンダ４３を小型化することができると共に、装置全体をコンパクトにすることができる。
【００７９】
以上、本考案を実施するための最良の実施の形態を挙げて説明したが、本考案は、これらの実施の形態に限定されるものではなく、以下に示すように、本考案の要旨を逸脱しない範囲において、種々の改良及び設計の変更が可能である。
【００８０】
すなわち、本例では、横行手段１８として、一対のスプロケット５８とチェーン５９とを用いて手動で駆動するものを示したが、これに限定するものではなく、例えば、圧力流体により回転するアクチュエータにより駆動させるものや、昇降手段と同様にシリンダと滑車およびワイヤを用いたもの、等とすることもできる。これにより、横行にかかる労力を低減させることができる。
【図面の簡単な説明】
【００８１】
【図１】本考案の入浴補助装置の一実施形態を示す正面図である。
【図２】図１の入浴補助装置の洗い場側において切断して示す側面断面図である。
【図３】図１の入浴補助装置の浴槽側において切断して示す側面断面図である。
【図４】図１の入浴補助装置における車椅子の座部の着脱を示す説明図である。
【符号の説明】
【００８２】
１  浴槽
１０  入浴補助装置
１１  車椅子
１２  車輪部
１３  座部
１４  保持部材
１５  昇降支持フレーム
１６  昇降手段
１７  横行支持フレーム
１８  横行手段
１９  誘導レール
２０  横行操作部
２１  昇降操作部
２２  ストッパ手段
２３  車椅子位置決め手段
４３  シリンダ
【図１】
0003107085.tif 000003
【図２】
0003107085.tif 000004
【図３】
0003107085.tif 000005
【図４】
0003107085.tif 000006